(57)【特許請求の範囲】
【請求項１】
貫通孔を有するケースと、
このケースの前記貫通孔に取り付けられた円筒部材と、
この円筒部材に挿入される軸部と、この軸部の外端部に設けられた操作部とを有する操作部材と、
を備え、
前記操作部材には、前記操作部の軸中心に向けて突出する係合突起部が設けられていると共に、径方向に弾性変形するばね部材が取り付けられ、
前記円筒部材のケース外側方向の端部には、前記係合突起部が軸方向に移動可能な解除溝と、この解除溝に対して周方向の異なる位置に形成されて前記係合突起部の前記外側方向への移動を規制する規制突起部とが、設けられ、
前記円筒部材には、前記操作部材が前記規制突起部によって前記係合突起部の前記外側方向への移動が規制されている位置にあるときに、前記ばね部材が係止される係止溝が設けられ、
前記ばね部材は、ほぼリング状に形成されて前記操作部材の前記操作部内に配置されており、このばね部材には、前記操作部の軸中心に向けて突出して、前記係止溝に係止する弾性突起部が設けられ、
前記ばね部材の前記弾性突起部は、前記操作部の軸中心に向けて突出した先端部が、前記係合突起部よりも前記操作部の軸中心に向けて突出していることを特徴とするスイッチ装置。
【請求項２】
請求項１に記載のスイッチ装置において、前記操作部材の前記操作部と共に回転するリング状の押え部材を有し、この押え部材の内周面に前記係合突起部が設けられていることを特徴とするスイッチ装置。
【請求項３】
請求項２に記載のスイッチ装置において、前記押え部材は、前記操作部材の前記操作部内に配置されており、この押え部材の外周部には、前記操作部の内周面に設けられた係合部に係合して前記操作部に対する回転を阻止する回転規制部が設けられていることを特徴とするスイッチ装置。
【請求項４】
請求項１〜３のいずれかに記載のスイッチ装置において、前記ばね部材の前記弾性突起部は、前記係合突起部に対応して設けられていることを特徴とするスイッチ装置。
【請求項５】
請求項１〜４のいずれかに記載のスイッチ装置において、前記ばね部材は、前記操作部材の前記操作部に設けられた係止凹部に係合して前記操作部に対する回転を阻止するフック部を備えていることを特徴とするスイッチ装置。
【請求項６】
貫通孔を有する腕時計ケースと、
この腕時計ケースの前記貫通孔に取り付けられた円筒部材と、
この円筒部材に挿入される軸部と、この軸部の外端部に設けられた操作部とを有する操作部材と、
前記腕時計ケースの内部に設けられた時刻を表示するための時計モジュールと、
を備え、
前記操作部材には、前記操作部の軸中心に向けて突出する係合突起部が設けられていると共に、径方向に弾性変形するばね部材が取り付けられ、
前記円筒部材の腕時計ケース外側方向の端部には、前記係合突起部が軸方向に移動可能な解除溝と、この解除溝に対して周方向の異なる位置に形成されて前記係合突起部の前記外側方向への移動を規制する規制突起部とが、設けられ、
前記円筒部材には、前記操作部材が前記規制突起部によって前記係合突起部の前記外側方向への移動が規制されている位置にあるときに、前記ばね部材が係止される係止溝が設けられ、
前記ばね部材は、ほぼリング状に形成されて前記操作部材の前記操作部内に配置されており、このばね部材には、前記操作部の軸中心に向けて突出して、前記係止溝に係止する弾性突起部が設けられ、
前記ばね部材の前記弾性突起部は、前記操作部の軸中心に向けて突出した先端部が、前記係合突起部よりも前記操作部の軸中心に向けて突出していることを特徴とする腕時計。
【発明の詳細な説明】
【技術分野】
【０００１】
この発明は、腕時計などの時計に用いられるスイッチ装置及び腕時計に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出し、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部に巻真の外端部が取り付けられた構成になっている。この場合、操作部材には、複数の係合凸部を有するリング部材が取り付けられている。また、巻真パイプは、腕時計ケースの貫通孔に取り付けられる小径部と、腕時計ケースの外部に突出する大径部とを有し、この大径部の外周面にリング部材の係合凸部を係脱可能に係止する複数の係止溝部が設けられている。
【０００５】
この複数の係止溝部は、リング部材の係合凸部を巻真パイプの軸方向に移動させて係止溝部から離脱可能に案内する着脱用の案内溝と、リング部材の係合凸部における軸方向への移動を規制してロックするロック溝と、リング部材の係合凸部を案内溝とロック溝とのいずれか一方に導く連続溝とを備えている。
【０００６】
このため、このスイッチ装置では、操作部材をロックする際に、リング部材の係合凸部を案内溝に挿入して押し込み、この状態で操作部材を回転させると、リング部材の係合凸部が案内溝から連続溝を経てロック溝に移動することにより、このロック溝によって係合凸部に対する巻真パイプの軸方向への移動が規制され、これにより操作部材が押し込まれた状態でロックされる。
【０００７】
また、このスイッチ装置では、操作部材のロックを解除して操作部材を引き出す際に、操作部材を押し込みながら回転させることにより、ロック溝内に位置するリング部材の係合凸部をロック溝から連続溝に送り込み、この連続溝に送り込まれた係合凸部が案内溝に移動することにより、ロック溝による係合凸部のロックが解除され、この状態でリング部材の係合凸部を軸方向に移動させて案内溝から離脱させることにより、操作部材が引き出されて時刻修正ができる。
【発明の概要】
【発明が解決しようとする課題】
【０００８】
しかしながら、このようなスイッチ装置では、操作部材のロックを解除して操作部材を引き出す際に、操作部材を押し込みながら回転させなければ、ロック溝内に位置するリング部材の係合凸部をロック溝内から離脱させて、係合凸部に対するロックを解除することができないため、操作部材の操作が煩雑で面倒であり、操作部材の操作性が悪いという問題がある。
【０００９】
この発明が解決しようとする課題は、ロック解除操作およびロック操作が容易にできると共に、ロック状態での操作部材の不用意な回転を防ぐことができるスイッチ装置及び腕時計を提供することである。
【課題を解決するための手段】
【００１０】
この発明は、貫通孔を有するケースと、このケースの前記貫通孔に取り付けられた円筒部材と、この円筒部材に挿入される軸部および外端部の操作部を有する操作部材と、を備え、前記操作部材には、軸中心に向けて突出する係合突起部が設けられていると共に、径方向に弾性変形するばね部材が取り付けられ、前記円筒部材の外側方向の端部には、前記係合突起部が軸方向に移動可能な解除溝と、この解除溝に対して周方向の異なる位置に形成されて前記係合突起部の外側方向への移動を規制する規制突起部とが、設けられ、前記円筒部材には、前記規制突起部によって前記係合突起部の外側方向への移動が規制されている位置にあるときに、前記ばね部材が係止されるばね係止溝が設けられ、前記ばね部材は、ほぼリング状に形成されて前記操作部材の前記操作部内に配置されており、このばね部材には、前記操作部の軸中心に向けて突出して、前記係止溝に係止する弾性突起部が設けられ、前記ばね部材の前記弾性突起部は、前記操作部の軸中心に向けて突出した先端部が、前記係合突起部よりも前記操作部の軸中心に向けて突出していることを特徴とするスイッチ装置である。
【発明の効果】
【００１１】
この発明によれば、操作部材がロックされている状態のときに、ばね部材のばね力によって操作部材の回転を規制することができるので、操作部材が不用意に回転するのを防ぐことができる。また、操作部材のロックを解除する際に、操作部材を回転させて円筒部材のばね係止溝によるばね部材の係止を解除するだけで、操作部材の係合突起部を円筒部材の解除溝に対応させることができるので、簡単に操作部材のロックを解除することができる。
【００１２】
また、操作部材をロックする際には、操作部材を押し込みながら回転させることにより、操作部材の係合突起部を円筒部材の解除溝に対応させて押し込むことができる共に、操作部材の係合突起部を円筒部材の規制突起部に係止させることができるので、操作部材を簡単にロックすることができる。これにより、ロック解除操作およびロック操作が容易にできると共に、ロック状態での操作部材の不用意な回転を防ぐことができる。
【図面の簡単な説明】
【００１３】
【図１】この発明を腕時計に適用した一実施形態を示した斜視図である。
【図２】図１に示された腕時計のＡ−Ａ矢視における要部の拡大断面図である。
【図３】図２に示されたスイッチ装置のＢ−Ｂ矢視における要部の拡大図である。
【図４】図３に示されたスイッチ装置において、押え部材を取り外した状態を示した要部の拡大図である。
【図５】図２に示されたスイッチ装置の円筒部材を示した拡大断面図である。
【図６】図５に示された円筒部材を右側から見て示した拡大側面図である。
【図７】図２に示されたスイッチ装置の操作部材を左側から見て示した拡大側面図である。
【図８】図７に示された操作部材のＣ−Ｃ矢視における要部の拡大断面図である。
【図９】図７および図８に示された操作部材のみを示し、（ａ）はその拡大側面図、（ｂ）は（ａ）のＤ−Ｄ矢視における拡大断面図、（ｃ）は（ｂ）のＥ−Ｅ矢視における拡大断面図である。
【図１０】図２に示されたスイッチ装置の押え部材を示し、（ａ）はその拡大側面図、（ｂ）はそのＦ−Ｆ矢視における拡大断面図である。
【図１１】図２に示されたスイッチ装置のばね部材を示し、（ａ）はその拡大側面図、（ｂ）はその拡大正面図、（ｃ）は（ａ）のＧ−Ｇ矢視における拡大断面図である。
【図１２】図２に示されたスイッチ装置において、操作部材を回転させて押え部材の係合突起部およびばね部材の弾性突起部を円筒部材の解除溝に対応させた状態を示した要部の拡大断面図である。
【図１３】図１２に示されたスイッチ装置のＨ−Ｈ矢視における要部の拡大図である。
【図１４】図１３に示されたスイッチ装置において、押え部材を取り外した状態を示した要部の拡大図である。
【図１５】図１２に示されたスイッチ装置において、操作部材が引き出された状態を示した要部の拡大断面図である。
【発明を実施するための形態】
【００１４】
以下、図１〜図１５を参照して、この発明を腕時計に適用した一実施形態について説明する。
この腕時計は、図１および図２に示すように、腕時計ケース１を備えている。この腕時計ケース１の上側開口部には、時計ガラス２が取り付けられており、この腕時計ケース１の下部には、裏蓋３が取り付けられている。
【００１５】
また、この腕時計ケース１の内部には、図２に示すように、時刻を指針で表示するための時計モジュール４が設けられている。さらに、この腕時計ケース１の３時側に位置する側部には、図１および図２に示すように、スイッチ装置５が設けられている。このスイッチ装置５は、時計モジュール４のモード切替や時刻修正などを行うためのものであり、巻真６、円筒部材７、操作部材８、押え部材９、およびばね部材１０を備えている。
【００１６】
この場合、腕時計ケース１の３時側に位置する側部には、図２に示すように、腕時計ケース１の内部と外部とに貫通する貫通孔１１が設けられている。この貫通孔１１は、腕時計ケース１の内部側に位置する四角形状の小径孔部１１ａと、腕時計ケース１の外部側に位置する円形状の大径孔部１１ｂとを有し、全体が段差状に形成されている。この貫通孔１１内には、スイッチ装置５の円筒部材７が嵌め込まれている。
【００１７】
この円筒部材７は、図２および図５に示すように、貫通孔１１の小径孔部１１ａ内に装着して腕時計ケース１の内部に突出する小径筒部７ａと、貫通孔１１の大径孔部１１ｂ内に装着して腕時計ケース１の外部に突出する大径筒部７ｂとを備えている。この円筒部材７の小径筒部７ａは、貫通孔１１の小径孔部１１ａ内に配置される箇所がほぼ四角形の角筒状に形成されている。これにより、円筒部材７は、図２に示すように、小径筒部７ａが貫通孔１１の小径孔部１１ａに装着されることにより、腕時計ケース１に対して回転することなく取り付けられている。
【００１８】
また、この小径筒部７ａは、図２に示すように、腕時計ケース１の内部に突出する箇所が円筒状に形成されている。この小径筒部７ａの円筒状の箇所には、リング取付溝１３が設けられており、このリング取付溝１３には、Ｅリングなどの抜止めリング１２が取り付けられている。これにより、円筒部材７は、抜止めリング１２によって腕時計ケース１の外部に抜け出すことなく、腕時計ケース１の貫通孔１１内に取り付けられている。
【００１９】
また、この円筒部材７の大径筒部７ｂにおける貫通孔１１内に位置する箇所の外周面には、図２および図５に示すように、複数のパッキン溝１５が設けられており、この複数のパッキン溝１５には、防水パッキン１４がそれぞれ取り付けられている。この大径筒部７ｂにおける腕時計ケース１から外部に突出した箇所の外周面には、腕時計ケース１の外側面に当接する鍔部１６が設けられている。これにより、円筒部材７は、大径筒部７ｂの鍔部１６が腕時計ケース１の外面に当接し、小径筒部７ａの抜止めリング１２が腕時計ケース１の内面に当接することにより、腕時計ケース１に対する出没方向の動きが規制されている。
【００２０】
さらに、この大径筒部７ｂにおける鍔部１６よりも腕時計ケース１の外部側に位置する外周面には、図２〜図６に示すように、一対の解除溝１７が軸方向に沿って設けられている。また、この大径筒部７ｂの外周面における一対の解除溝１７に対して周方向の異なる位置には、一対のばね係止溝１８が軸方向に沿って設けられている。さらに、この大径筒部７ｂの外周面における腕時計ケース１の外部側に位置する外端部には、解除溝１７およびばね係止溝１８が位置する箇所を除いて、抜止め用の規制突起部１９が環状に沿って間欠的に設けられている。
【００２１】
一対の解除溝１７は、図５および図６に示すように、腕時計ケース１から外部に突出した大径筒部７ｂの外周面における右上と左下とに位置する２箇所に、鍔部１６から外端部（図５では右端部）に亘って開口された状態で形成されている。また、一対のばね係止溝１８は、腕時計ケース１から外部に突出した大径筒部７ｂの外周面における左上と右下とに位置する２箇所に、鍔部１６から外端部（図５では右端部）に亘って開口された状態で形成されている。
【００２２】
この場合、一対の解除溝１７は、図６に示すように、その深さが一対のばね係止溝１８の深さとほぼ同じ深さで形成されている。また、この一対の解除溝１７は、その径方向の長さである溝幅１７ａが、一対のばね係止溝１８の溝幅１８ａよりも十分に長く形成されている。さらに、抜止め用の規制突起部１９は、図５および図６に示すように、腕時計ケース１の外側に位置する外側面１９ａ（図５では右側面）と、腕時計ケース１の内側に位置する内側面１９ｂ（図５では左側面）とが、軸方向に対して直交する垂直面に形成されている。
【００２３】
また、この円筒部材７の内部には、図２および図５に示すように、小径筒部７ａに設けられた小径孔部２０と、大径筒部７ｂに設けられた大径孔部２１とが設けられている。この場合、小径孔部２０は、図２に示すように、巻真６が挿入する部分であり、大径孔部２１は、後述する操作部材８の操作軸部２４が挿入する部分である。この大径孔部２１の内周面には、複数のパッキン溝２２が設けられており、この複数のパッキン溝２２には、防水パッキン１４がそれぞれ取り付けられている。
【００２４】
操作部材８は、図２、図７および図８に示すように、円筒部材７の鍔部１６の外径よりも少し大きい大径の円筒状に形成された操作頭部２３と、円筒部材７の大径筒部７ｂの内径よりも少し小さい小径の円筒状に形成された操作軸部２４とを備えている。操作頭部２３は、図９（ｂ）に示すように、その内部が中空状に形成されている。
【００２５】
すなわち、この操作頭部２３の内部は、図２に示すように、その内径が円筒部材７の鍔部１６の外径よりも段階的に小さくなる中空状に形成されていると共に、軸方向における内部の長さ（深さ）が、円筒部材７の大径筒部７ｂにおける腕時計ケース１から外部に突出した部分の長さ、つまり鍔部１６から外端部までの長さよりも少し長く形成されている。
【００２６】
また、この操作頭部２３における腕時計ケース１の外部側に位置する外端部には、図２および図９に示すように、頭壁部２５が設けられている。この頭壁部２５の内面における中心部には、操作軸部２４が腕時計ケース１側に向けて突出して設けられている。この操作軸部２４は、図２に示すように、円筒部材７の大径筒部７ｂに設けられた大径孔部２１内に挿入する部分であり、円筒部材７の大径筒部７ｂの大径孔部２１とほぼ同じ長さで形成されている。
【００２７】
これにより、操作軸部２４は、図２に示すように、円筒部材７の大径筒部７ｂが腕時計ケース１の貫通孔１１内に挿入された部分の長さだけ、円筒状の操作頭部２３から腕時計ケース１側に向けて突出するように形成されている。この操作軸部２４の内部には、図９（ａ）〜図９（ｃ）に示すように、操作頭部２３から突出する箇所に設けられた断面四角形状の角孔部２４ａと、この角孔部２４ａよりも操作頭部２３側に設けられて角孔部２４ａに連続し、且つこの角孔部２４ａの内面に内接する断面円形状の円形孔部２４ｂとが軸方向に沿って設けられている。
【００２８】
この場合、操作軸部２４の角孔部２４ａにおける腕時計ケース１の内部側に位置する端部の内周面には、図８および図９に示すように、リング取付溝２６が設けられている。このリング取付溝２６には、ストッパ用のガイドリング２７が取り付けられている。このガイドリング２７は、その中心に角孔部２４ａよりも少し小さい角孔を設けたものであり、この角孔の内縁が角孔部２４ａ内に少し突出するように形成されている。
【００２９】
この操作軸部２４には、図２および図８に示すように、巻真６の外側に位置する端部が取り付けられている。すなわち、巻真６は、円筒部材７の小径孔部２０を通過した先端部に設けられて操作軸部２４の角孔部２４ａ内、つまりガイドリング２７の角孔内に移動可能に挿入する角棒状の連動軸部６ａと、この連動軸部６ａの先端に設けられて操作軸部２４の円形孔部２４ｂ内に移動可能に挿入するガイド軸部６ｂとを備えている。
【００３０】
この場合、巻真６の連動軸部６ａにおける先端側に位置する端部の外周面には、図２および図８に示すように、ストッパ部６ｃが外周側に向けて突出して設けられている。このストッパ部６ｃは、図８に示すように、角孔部２４ａ内に突出したガイドリング２７の角孔の内縁部が当接することにより、操作部材８が腕時計ケース１の外部側に抜け出さないように構成されている。
【００３１】
また、巻真６のガイド軸部６ｂは、図２および図８に示すように、円形孔部２４ｂの内径よりも十分に細く形成されている。このガイド軸部６ｂの外周面と円形孔部２４ｂの内周面との間には、コイルばね２８が配置されている。このコイルばね２８は、図２および図８に示すように、一端部が巻真６の連動軸部６ａの端面に弾接し、他端部が操作軸部２４の円形孔部２４ｂの奥部（図８では右端部）に弾接し、この状態で操作軸部２４を円筒部材７内から押し出す方向に向けて付勢するように構成されている。
【００３２】
これにより、操作部材８は、図２に示すように、コイルばね２８のばね力に抗して操作頭部２３を押し込むと、コイルばね２８が圧縮されて巻真６の連動軸部６ａが操作軸部２４の角孔部２４ａ内に相対的に押し込まれると共に、巻真６のガイド軸部６ｂが操作軸部２４の円形孔部２４ｂ内に相対的に押し込まれ、操作頭部２３が腕時計ケース１に接近するように構成されている。
【００３３】
また、この操作部材８は、図２に示すように、巻真６のガイド軸部６ｂが操作軸部２４の円形孔部２４ｂ内に相対的に押し込まれて、操作頭部２３が腕時計ケース１に接近した状態で、図８に示すように、操作頭部２３から外力を取り除くと、コイルばね２８のばね力によって操作軸部２４が巻真６に対して押し出されて、図１５に示すように、操作頭部２３が腕時計ケース１から離れるように構成されている。
【００３４】
また、この操作部材８は、図２、図８および図１５に示すように、操作頭部２３が押し込まれた状態においても、また操作頭部２３が押し出された状態においても、操作頭部２３を回転させると、この操作頭部２３と共に操作軸部２４が回転し、この回転が操作軸部２４の角孔部２４ａに挿入された巻真６の連動軸部６ａに伝達され、この連動軸部６ａによって巻真６が連動して回転するように構成されている。
【００３５】
一方、操作部材８の操作頭部２３内には、図８および図９（ｂ）に示すように、押え部材９、ばね部材１０、および後述する押えリング３６がその順で配置する第１〜第３の各装着溝部２３ａ〜２３ｃが階段状に形成されている。この操作頭部２３の第１装着溝部２３ａ内には、図２および図８に示すように、押え部材９が配置されている。この押え部材９は、図１０（ａ）および図１０（ｂ）に示すように、リング形状に形成されている。
【００３６】
この押え部材９の内周部には、その軸中心に向けて突出する一対の係合突起部３０が半径方向に対向した状態で設けられている。この一対の係合突起部３０は、図１０（ａ）に示すように、その軸中心に向けて突出する突出長さ３０ａが、図３および図１３に示すように、円筒部材７の解除溝１７の深さよりも少し短く形成されている。また、この一対の係合突起部３０は、その径方向の長さ３０ｂが、図１３に示すように解除溝１７の溝幅１７ａよりも短く、且つ図３に示すように円筒部材７のばね係止溝１８の溝幅１８ａよりも十分に長く形成されている。
【００３７】
これにより、一対の係合突起部３０は、図１３に示すように、円筒部材７の解除溝１７内に配置された際に、この解除溝１７に沿って軸方向に移動することにより、解除溝１７から外側に離脱するように構成されている。また、この一対の係合突起部３０は、図３に示すように、円筒部材７のばね係止溝１８に対応した際に、係合突起部３０の両端部がばね係止溝１８の両側に位置する規制突起部１９の内側面１９ｂに当接することにより、円筒部材７から外側に抜け出さないように構成されている。
【００３８】
また、この押え部材９は、図１０（ａ）に示すように、その外周面に一対の回転規制部３１が外周から突出して設けられている。この突出した一対の回転規制部３１は、図９（ａ）に示すように、操作頭部２３の第１装着溝部２３ａの外周面に設けられた一対の係合凹部３２に係合することにより、操作頭部２３の第１装着溝部２３ａ内で押え部材９が回転するのを阻止して、押え部材９を操作頭部２３と共に回転させるように構成されている。
【００３９】
さらに、操作部材８の操作頭部２３における第２装着溝部２３ｂ内には、図２および図８に示すように、径方向に弾性変形するばね部材１０が配置されている。このばね部材１０は、図１１（ａ）〜図１１（ｃ）に示すように、帯板をほぼリング状に湾曲させた構成になっている。このばね部材１０には、図３および図１３に示すように、操作頭部２３の中心に向けて突出して弾性変形する一対の弾性突起部３３が押え部材９の係合突起部３０に対応して設けられている。
【００４０】
この一対の弾性突起部３３は、図４および図１１（ａ）に示すように、ほぼ９０度の角度でＶ字形状に折り曲げられた状態で、互いに対向して設けられ、この互いに対向する各先端部３３ａが円筒部材７の大径筒部７ｂにおける腕時計ケース１から外部に突出した箇所の外周面に弾接した状態で回転移動するように構成されている。この場合、一対の弾性突起部３３は、円筒部材７の大径筒部７ｂにおける外周面に沿って回転移動する際にＶ字形状の角度が弾性的に変化するように構成されている。
【００４１】
これにより、一対の弾性突起部３３は、図４および図１４に示すように、互いに対向する先端部３３ａが円筒部材７の大径筒部７ｂの外周面に弾接して回転移動する際に、円筒部材７の大径筒部７ｂの外周面に設けられた一対の解除溝１７および一対のばね係止溝１８に弾力的に係合することにより、クリック感をもって解除溝１７およびばね係止溝１８に係合するように構成されている。
【００４２】
また、このばね部材１０のほぼリング状に湾曲した帯板の両端部には、図９および図１１に示すように、操作頭部２３の第１装着溝部２３ａに対応する箇所に設けられた一対の係止凹部３４に係合して、操作頭部２３に対する回転を阻止するための一対のフック部３５が設けられている。この場合、一対の係止凹部３４は、図９（ａ）に示すように、押え部材９の外周の回転規制部３１が係合する係合凹部３２の両側に位置する状態で、操作頭部２３の第１装着溝部２３ａの外周側に位置する箇所に設けられている。
【００４３】
一対のフック部３５は、図８および図１１に示すように、ばね部材１０が押え部材９に押し付けられた状態で、操作頭部２３の第２装着溝部２３ｂ内に配置された際に、押え部材９の外周側（図８では右側）に向けて突出して第１装着溝部２３ａに対応する箇所の係止凹部３４内に挿入することにより、ばね部材１０の回転方向の位置を規制するように構成されている。
【００４４】
これにより、ばね部材１０は、図８に示すように、操作頭部２３の第２装着溝部２３ｂ内に回転方向の位置が規制され、この状態で操作頭部２３と共に一体的に回転するように構成されている。また、このばね部材１０は、図８に示すように、操作頭部２３の第３装着溝部２３ｃ内に配置された押えリング３６によって操作頭部２３内から抜け出さないように押えられている。
【００４５】
ところで、操作部材８に連結された巻真６は、図２に示すように、腕時計ケース１内に設けられた時計モジュール４内に延出されて配置されている。この巻真６は、操作部材８の操作頭部２３が押し込まれて、ばね部材１０の弾性突起部３３が円筒部材７のばね係止溝１８に係合し、押え部材９の係合突起部３０が円筒部材７の規制突起部１９に当接した状態のときに、押し込まれた状態でロックされるように構成されている。
【００４６】
また、この巻真６は、図１５に示すように、押え部材９の係合突起部３０が円筒部材７の解除溝１７から離脱してロック状態が解除され、操作部材８の操作頭部２３がコイルばね２８のばね力によって押し出された状態のときにも、押し込まれた状態を維持し、時計モジュール４のスイッチが動作しないように構成されている。
【００４７】
さらに、この巻真６は、図１５に示す状態で、操作部材８の操作頭部２３が更に引き出されると、図示しないが、操作頭部２３の引き出し操作に伴って引き出される方向に移動し、これにより通常の時計モードを時刻修正モードに切り替え、この状態で操作頭部２３を回転させると、その回転に伴って回転し、この回転に応じて時刻修正を行うように構成されている。
【００４８】
次に、このような腕時計のスイッチ装置５の作用について説明する。
このスイッチ装置５を使用する場合には、図２に示す状態で、操作部材８の操作頭部２３を回転させる。すると、操作頭部２３の回転に伴って押え部材９とばね部材１０とが回転し、操作部材８のロックが解除される。
【００４９】
すなわち、押え部材９は、図３および図４に示すように、その回転規制部３１が操作頭部２３の第１装着溝部２３ａ内の係止凹部３２に係止されて位置規制されており、ばね部材１０は、そのフック部３５が操作頭部２３の第１装着溝部２３ａに対応する箇所の係止凹部３４内に挿入して位置規制されているので、操作頭部２３が回転すると、これに伴って押え部材９とばね部材１０とが回転する。
【００５０】
このように、ばね部材１０が操作頭部２３と共に回転する際には、図３および図４に示すように、ばね部材１０の弾性突起部３３が円筒部材７の大径筒部７ｂのばね係止溝１８から弾性変形しながら離脱し、この弾性突起部３３の先端部３３ａが円筒部材７の大径筒部７ｂの外周面に沿って回転移動する。このときには、弾性突起部３３が対応する押え部材９の係合突起部３０が円筒部材７の大径筒部７ｂにおける規制突起部１９の内側面１９ｂに当接して外側への移動が規制された状態で、円筒部材７のばね係止溝１８に対応する箇所から径方向に離れる。
【００５１】
そして、操作頭部２３が更に回転すると、図１２〜図１４に示すように、ばね部材１０の弾性突起部３３が円筒部材７の解除溝１７に弾性復帰しながらクリック感をもって係合する。このときには、弾性突起部３３が対応する押え部材９の係合突起部３０も円筒部材７の解除溝１７に対応する位置に移動し、円筒部材７の規制突起部１９の内側面１９ｂから径方向に離れる。
【００５２】
これにより、操作部材８のロックが解除され、図１５に示すように、操作部材８のコイルばね２８のばね力によって操作部材８の操作軸部２４が腕時計ケース１の外側に向けて押し出される。すると、押え部材９の係合突起部３０とばね部材１０の弾性突起部３３が円筒部材７の解除溝１７に沿って軸方向に移動し、この押え部材９の係合突起部３０とばね部材１０の弾性突起部３３が円筒部材７の抜止め用の規制突起部１９の外側に移動して解除溝１７から離脱する。
【００５３】
このときには、巻真６は軸方向に移動しない。また、この状態で操作頭部２３を回転させて巻真６を回転させても、時計モジュール４のスイッチは動作しない。そして、操作頭部２３を更に引き出すと、巻真６が引き出される。このときには、巻真６の引き出し動作によって、時計モジュール４のスイッチが動作し、時計モードが通常の時計モードから時刻修正モードに切り替わる。この状態で、操作頭部２３を回転させると、その回転に伴って巻真６が回転し、この回転に応じて時刻修正が行われる。
【００５４】
一方、このスイッチ装置５を使用しない場合には、図１５に示す状態で、操作部材８の操作頭部２３をコイルばね２８のばね力に抗して押し込んで腕時計ケース１の外面に接近させる。そして、ばね部材１０の弾性突起部３３を円筒部材７の規制突起部１９の外側面１９ａに当接させ、この状態で操作頭部２３をコイルばね２８のばね力に抗して押しながら回転させて、図１３に示すように、ばね部材１０の弾性突起部３３と押え部材９の係合突起部３０とを円筒部材７の解除溝１７に対応させる。
【００５５】
そして、ばね部材１０の弾性突起部３３と押え部材９の係合突起部３０とが円筒部材７の解除溝１７に対応した際に、操作頭部２３をコイルばね２８のばね力に抗して更に押し込むと、ばね部材１０の弾性突起部３３と押え部材９の係合突起部３０とが円筒部材７の解除溝１７に沿って移動し、図１２〜図１４に示すように、ばね部材１０の弾性突起部３３と押え部材９の係合突起部３０とが円筒部材７の規制突起部１９に対応する箇所を通過して円筒部材７の大径筒部７ｂの外周に位置し、操作頭部２３が腕時計ケース１の外面に接近する。
【００５６】
この状態で、操作頭部２３を回転させると、ばね部材１０の弾性突起部３３が弾性変形しながら円筒部材７の解除溝１７から離脱し、弾性突起部３３の先端部３３ａが円筒部材７の大径筒部７ｂの外周面に沿って回転移動する。このときには、図１２〜図１４に示すように、弾性突起部３３が対応する押え部材９の係合突起部３０が円筒部材７の解除溝１７から離れて大径筒部７ｂにおける規制突起部１９の内側面１９ｂに沿って移動する。
【００５７】
この後、操作頭部２３を更に回転させると、図３および図４に示すように、ばね部材１０の弾性突起部３３が円筒部材７のばね係止溝１８に弾性復帰しながらクリック感をもって係合する。このときには、弾性突起部３３に対応する押え部材９の係合突起部３０が円筒部材７のばね係止溝１８に対応する位置に移動する。
【００５８】
この状態では、操作部材８のコイルばね２８のばね力によって押え部材９の係合突起部３０が円筒部材７の規制突起部１９の内側面１９ｂに押し付けられる。これにより、操作部材８が押し込まれた状態でロックされる。この状態では、ばね部材１０の弾性突起部３３が円筒部材７のばね係止溝１８に弾力的に係合しているので、ばね部材１０のばね力にって操作部材８の回転を弾力的に規制することができ、これにより操作頭部２３が不用意に回転することがない。
【００５９】
このように、このスイッチ装置５によれば、腕時計ケース１の貫通孔１１に取り付けられた円筒部材７と、この円筒部材７に挿入される操作軸部２４および外端部の操作頭部２３を有する操作部材８とを備え、操作部材８には、軸中心に向けて突出する係合突起部３０が設けられていると共に、径方向に弾性変形するばね部材１０が取り付けられており、円筒部材７の外側方向の端部には、係合突起部３０が軸方向に移動可能な解除溝１７と、この解除溝１７に対して径方向の異なる位置に形成されて係合突起部３０の外側方向への移動を規制する規制突起部１９とが、設けられており、円筒部材７には、規制突起部１９によって係合突起部３０の外側方向への移動が規制されている位置にあるときに、ばね部材１０を係止するばね係止溝１８が形成されているので、操作部材８のロック解除操作およびロック操作が容易にできると共に、ロック状態で操作部材８が不用意に回転するのを防ぐことができる。
【００６０】
すなわち、この腕時計のスイッチ装置５では、規制突起部１９によって係合突起部３０の外側方向への移動が規制されている位置にあるロック状態のときに、ばね部材１０を係止するばね係止溝１８が円筒部材７に形成されているので、操作部材８がロックされている状態のときに、ばね部材１０のばね力によって操作部材８の回転を弾力的に規制することができ、これにより操作頭部２３が不用意に回転するのを防ぐことができ、操作部材８のロック状態を良好に維持することができる。
【００６１】
また、このスイッチ装置５では、操作部材８のロックを解除して引き出す際に、操作部材８の操作頭部２３に設けられたばね部材１０のばね力に抗して操作頭部２３を回転させて、操作頭部２３に設けられた係合突起部３０を円筒部材７の外周面に設けられた解除溝１７に対応させると、円筒部材７の外周面に設けられた規制突起部１９による操作頭部２３の係合突起部３０に対する規制を解除することができると共に、円筒部材７の解除溝１７に沿って操作頭部２３の係合突起部３０を円筒部材７の軸方向に移動させることができるので、簡単に操作部材８のロックを解除することができると共に、操作部材８を容易に且つ良好に引き出すことができる。
【００６２】
このとき、操作頭部２３を回転させる際には、操作頭部２３に設けられたばね部材１０のばね力に抗して操作頭部２３を回転させることにより、円筒部材７の外周面に設けられたばね係止溝１８に対するばね部材１０の係止を解除して、ばね部材１０を円筒部材７の解除溝１７に弾力的に係合させることができる。このため、ばね部材１０が円筒部材７の解除溝１７に係合する際に、ばね部材１０のばね力によって操作頭部２３にクリック感が付与されるので、視覚に頼らずに、操作頭部２３の回転位置を確認することができ、これにより操作部材８のロック解除を確認することができる。
【００６３】
また、この腕時計のスイッチ装置５では、操作部材８を押し込んでロックする際に、操作部材８の操作頭部２３に設けられた係合突起部３０を円筒部材７の外周面に設けられた解除溝１７に対応させて操作部材８を押し込み、この状態でばね部材１０のばね力に抗して操作部材８を回転させることにより、操作頭部２３の係合突起部３０を円筒部材７の外周面に設けられた規制突起部１９の内側に対応させることができ、これにより操作頭部２３の係合突起部３０を円筒部材７の規制突起部１９に当接させて外側への移動を規制することができるので、簡単に操作部材８をロックすることができる。
【００６４】
このとき、操作頭部２３を回転させる際には、ばね部材１０のばね力に抗して操作頭部２３を回転させることにより、円筒部材７の外周面に設けられた解除溝１７に対するばね部材１０の係止を解除して、ばね部材１０を円筒部材７のばね係止溝１８に弾力的に係合させることができる。これによっても、ばね部材１０が円筒部材７のばね係止溝１８に係合する際には、ばね部材１０のばね力によって操作頭部２３にクリック感が付与されるので、視覚に頼らずに、操作頭部２３の回転位置を確認することができ、これにより操作部材８がロックされたことを確認することができる。
【００６５】
このように、このスイッチ装置５では、操作部材８の回転がばね部材１０のばね力によって弾力的に規制されているので、操作部材８がロックされている状態のときに、操作頭部２３が不用意に回転するのを防ぐことができ、またばね部材１０のばね力に抗して操作頭部２３を回転させるだけの簡単な操作で、操作部材８のロックを解除することができると共に、操作頭部２３を押し込みながら回転させるだけの簡単な操作で、操作部材８をロックすることができるので、操作部材８のロック解除操作および操作部材８のロック操作が容易にできる。このため、アウトドアなどで手袋をした状態で操作部材８を操作する際にも、良好に操作部材８を操作することができるので、操作部材８の操作性の向上を図り、使い勝手の良いものを提供することができる。
【００６６】
また、このスイッチ装置５では、操作部材８と共に回転するリング状の押え部材９を有し、この押え部材９の内周面に係合突起部３０が設けられていることにより、操作部材８の操作頭部２３内に複雑な加工を施す必要がなく、操作部材８の操作頭部２３内にリング状の押え部材９を嵌め込むだけで、係合突起部３０を操作頭部２３内に容易に組み込むことができ、これにより生産性の向上を図ることができる。
【００６７】
この場合、押え部材９は、操作部材８の操作頭部２３内に配置されており、この押え部材９の外周部には、操作頭部２３の内周面に設けられた係合凹部３２に係合して操作頭部２３に対する回転を阻止する回転規制部３１が設けられているので、押え部材９を操作頭部２３内に組み込む際に、操作頭部２３内の係合凹部３２に押え部材９の回転規制部３１を係合させるだけの簡単な作業で、押え部材９を操作頭部２３内に簡単に且つ容易に取り付けることができ、これにより押え部材９を操作頭部２３と共に一体的に回転させることができると共に、生産性の向上を図ることができる。
【００６８】
また、このスイッチ装置５では、ばね部材１０がほぼリング状に形成されて操作部材８の操作頭部２３内に配置されており、このばね部材１０には、操作頭部２３の軸中心に向けて突出して弾性変形する弾性突起部３３が設けられているので、操作頭部２３を回転させて弾性突起部３３が円筒部材７の解除溝１７または円筒部材７のばね係止溝１８に係合する際に、弾性突起部３３の弾性力によって操作頭部２３にクリック感を付与することができ、これにより操作頭部２３の回転位置を良好に確認することができるので、視覚に頼らずに、操作部材８のロック解除位置およびロック位置を確認することができる。
【００６９】
この場合、ばね部材１０の弾性突起部３３は、押え部材９の係合突起部３０に対応して設けられていることにより、操作頭部２３を回転させて弾性突起部３３を円筒部材７の解除溝１７または円筒部材７のばね係止溝１８に係合させる際に、押え部材９の係合突起部３０を円筒部材７の解除溝１７または円筒部材７のばね係止溝１８に正確に且つ確実に対応させることができ、これにより操作部材８のロック解除および操作部材８のロックを確実に且つ良好に行うことができる。
【００７０】
また、このばね部材１０の弾性突起部３３は、操作頭部２３の軸中心に向けて突出した先端部３３ａが、押え部材９の係合突起部３０よりも操作頭部２３の軸中心に向けて突出しているので、弾性突起部３３の先端部３３ａを円筒部材７の解除溝１７または円筒部材７のばね係止溝１８に確実に且つ良好に係合させることができ、これにより弾性突起部３３によって操作頭部２３にクリック感を確実に且つ良好に付与することができる。
【００７１】
さらに、ばね部材１０には、操作部材８の操作頭部２３に設けられた係止凹部３４に係合して操作頭部２３に対する回転を阻止するフック部３５が設けられているので、操作頭部２３を回転操作する際に、ばね部材１０を操作頭部２３と共に確実に回転させることができ、これにより弾性突起部３３の先端部３３ａを円筒部材７の解除溝１７または円筒部材７のばね係止溝１８に確実に且つ良好に係合させることができると共に、ばね部材１０を操作頭部２３内に簡単に且つ確実に組み付けることができ、これによっても生産性の向上を図ることができる。
【００７２】
なお、上述した実施形態では、押え部材９の外周部に回転規制部３１を突出させて設け、操作頭部２３内の第１装着溝部２３ａの周面に係合凹部３２を設けた場合について述べたが、これに限らず、例えば押え部材９の外周部に回転規制部を凹部形状に設け、操作頭部２３内の第１装着溝部２３ａの周面に係合部を凸形状に設けた構成であっても良い。このように構成しても、上述した実施形態と同様の作用効果がある。
【００７３】
また、上述した実施形態では、腕時計に適用した場合について述べたが、必ずしも腕時計である必要はなく、例えばトラベルウオッチ、目覚まし時計、置き時計、掛け時計などの各種の時計に適用することができる。
【００７４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７５】
（付記）
請求項１に記載の発明は、貫通孔を有するケースと、このケースの前記貫通孔に取り付けられた円筒部材と、この円筒部材に挿入される軸部および外端部の操作部を有する操作部材と、を備え、
前記操作部材には、軸中心に向けて突出する係合突起部が設けられていると共に、径方向に弾性変形するばね部材が取り付けられ、
前記円筒部材の外側方向の端部には、前記係合突起部が軸方向に移動可能な解除溝と、この解除溝に対して周方向の異なる位置に形成されて前記係合突起部の外側方向への移動を規制する規制突起部とが、設けられ、
前記円筒部材には、前記規制突起部によって前記係合突起部の外側方向への移動が規制されている位置にあるときに、前記ばね部材が係止されるばね係止溝が形成されていることを特徴とするスイッチ装置である。
【００７６】
請求項２に記載の発明は、請求項１に記載のスイッチ装置において、前記操作部材の前記操作部と共に回転するリング状の押え部材を有し、この押え部材の内周面に前記係合突起部が設けられていることを特徴とするスイッチ装置である。
【００７７】
請求項３に記載の発明は、請求項２に記載のスイッチ装置において、前記押え部材は、前記操作部材の前記操作部内に配置されており、この押え部材の外周部には、前記操作部の内周面に設けられた係合部に係合して前記操作部に対する回転を阻止する回転規制部が設けられていることを特徴とするスイッチ装置である。
【００７８】
請求項４に記載の発明は、請求項１〜請求項３のいずれかに記載のスイッチ装置において、前記ばね部材は、ほぼリング状に形成されて前記操作部材の前記操作部内に配置されており、このばね部材には、前記操作部の軸中心に向けて突出して弾性変形する弾性突起部が設けられていることを特徴とするスイッチ装置である。
【００７９】
請求項５に記載の発明は、請求項４に記載のスイッチ装置において、前記ばね部材の前記弾性突起部は、前記押え部材の前記係合突起部に対応して設けられていることを特徴とするスイッチ装置である。
【００８０】
請求項６に記載の発明は、請求項４または請求項５に記載のスイッチ装置において、前記ばね部材の前記弾性突起部は、前記操作部の軸中心に向けて突出した先端部が、前記押え部材の前記係合突起部よりも前記操作部の軸中心に向けて突出していることを特徴とするスイッチ装置である。
【００８１】
請求項７に記載の発明は、請求項４〜請求項６のいずれかに記載のスイッチ装置において、前記ばね部材は、前記操作部材の前記操作部に設けられた係止凹部に係合して前記操作部に対する回転を阻止するフック部を備えていることを特徴とするスイッチ装置である。
【符号の説明】
【００８２】
１  腕時計ケース
５  スイッチ装置
６  巻真
７  円筒部材
７ａ  小径筒部
７ｂ  大径筒部
８  操作部材
９  押え部材
１０  ばね部材
１１  貫通孔
１７  解除溝
１８  ばね係止溝
１９  規制突起部
２３  操作頭部
２４  操作軸部
２８  コイルばね
３０  係合突起部
３１  回転規制部
３２  係合凹部
３３  弾性突起部
３４  係止凹部
３５  フック部
３６  押えリング
【図１】
0005440886.tif 000002
【図２】
0005440886.tif 000003
【図３】
0005440886.tif 000004
【図４】
0005440886.tif 000005
【図５】
0005440886.tif 000006
【図６】
0005440886.tif 000007
【図７】
0005440886.tif 000008
【図８】
0005440886.tif 000009
【図９】
0005440886.tif 000010
【図１０】
0005440886.tif 000011
【図１１】
0005440886.tif 000012
【図１２】
0005440886.tif 000013
【図１３】
0005440886.tif 000014
【図１４】
0005440886.tif 000015
【図１５】
0005440886.tif 000016